(57)【要約】【課題】隣り合う表示媒体同士の位置自由度を損なうことなく複数枚の表示媒体の隣り合う順番を判断する。【解決手段】表面側及び裏面側に重ねられている表示シートに自己の識別情報を送信する（１６２）。表面側に表示シートが重ねられているか否かを判定し（１６４）、肯定された場合は表面側に重ねられている表示シートから識別情報を受信したか否かを判定し（１６６）、表面側に重ねられている表示シートから識別情報を受信した場合は、裏面側に表示シートが重ねられているか否かを判定し（１６８）、肯定された場合は裏面側に重ねられている表示シートから識別情報を受信したか否かを判定し（１７０）、裏面側に重ねられている表示シートから識別情報を受信した場合は、表面側及び裏面側に隣り合う表示シートの識別情報、及び自己の識別情報を１組とした１組の情報を制御装置へ送信する（１７２）。【選択図】図８
2010175822.tif 000002
【特許請求の範囲】
【請求項１】
画像データに基づいて画像を表示するシート状の表示媒体と、
自己の識別情報を記憶する識別情報記憶手段と、
前記シート状の表示媒体の一方の面に設けられ、隣り合うシート状の他の表示媒体からの情報を非接触で送受信する送受信手段と、
予め定めた情報を非接触で送信する送信手段と、
前記他の表示媒体に前記識別情報記憶手段に記憶された前記自己の識別情報を送信するように前記送受信手段を制御すると共に、前記他の表示媒体の他の送受信手段から送信され前記送受信手段で受信された前記他の表示媒体の他の識別情報、前記他の識別情報を受信した側の面を示す情報、及び前記自己の識別情報を前記予め定めた情報として送信するように前記送信手段を制御する制御手段と、
を含むシート状の表示媒体。
【請求項２】
前記送受信手段は、電磁誘導によって信号を送受信する複数のコイルが、当該複数のコイルの磁界をシールドするシールド部材を挟んで成る
請求項１記載のシート状の表示媒体。
【請求項３】
前記請求項１又は請求項２に記載の複数枚のシート状の表示媒体と、
前記予め定めた情報を非接触で受信する受信手段と、前記受信手段により受信した前記予め定めた情報に基づいて、前記複数枚のシート状の表示媒体が隣り合う順番を判断する判断手段と、を備えた制御装置と、
を含む表示システム。
【請求項４】
前記複数枚のシート状の表示媒体に設けられた前記送信手段が、電磁誘導によって信号を送信するコイルであり、
前記受信手段が、電磁誘導によって信号を受信するコイルである
請求項３記載の表示システム。
【請求項５】
前記制御装置は、複数の画像データと当該複数の画像データに基づいて表示される複数の画像の並び順とを対応付けて記憶する画像データ記憶手段を更に備え、前記判断手段により判断された前記複数枚のシート状の表示媒体が隣り合う順番と前記画像データ記憶手段に記憶された前記並び順とに基づいて、前記並び順で前記画像が表示されるように、対応する前記画像データを前記複数枚のシート状の表示媒体の各々に送信する
請求項３又は請求項４に記載の表示システム。
【請求項６】
前記送信手段は、前記自己の識別情報を送信するときに前記表示媒体に表示されている画像の画像データを送信し、
前記制御装置は、前記複数枚のシート状の表示媒体が隣り合う順番と前記送信手段により送信された前記自己の識別情報及び前記画像データに基づいて、表示されている複数の画像の並び順を判断する
請求項３〜請求項５の何れか１項に記載の表示システム。
【発明の詳細な説明】
【技術分野】
【０００１】
本発明は、表示媒体及び表示システムに関する。
【背景技術】
【０００２】
近年、情報機器の発達に伴い、低消費電力且つ薄型の表示装置のニーズが増しており、中でも紙に代わる書き換え可能な表示パネルを備えた表示装置が注目されている。このような書き換え可能な表示パネルを備えた表示装置としては、紙と同様に書き換え可能な薄型の複数枚の表示パネルを本体に束ねて綴じて使用することができると共に、表示パネルを本体から取り外すことができるようにした表示システムが知られている。
【０００３】
特許文献１には、薄型のパネル状の複数枚の表示媒体同士が表示媒体に備えられた電極を介して信号の送受信を行うことによって、複数枚の表示媒体の隣り合う順番を検知して、複数枚の表示媒体の書き換えを同時に行う技術が記載されている。
【先行技術文献】
【特許文献】
【０００４】
【特許文献１】特開２００６−１６２９０２公報
【発明の概要】
【発明が解決しようとする課題】
【０００５】
本発明は、複数枚の表示媒体同士が信号の送受信を行うときに、隣り合う表示媒体に備わる信号の送受信手段を厳密に接触させる場合と比較して、隣り合う表示媒体同士の位置自由度を損なうことなく複数枚の表示媒体の隣り合う順番を判断する表示媒体及び表示システムを提供することを目的とする。
【課題を解決するための手段】
【０００６】
請求項１の発明のシート状の表示媒体は、画像データに基づいて画像を表示するシート状の表示媒体と、自己の識別情報を記憶する識別情報記憶手段と、前記シート状の表示媒体の一方の面に設けられ、隣り合うシート状の他の表示媒体からの情報を非接触で送受信する送受信手段と、予め定めた情報を非接触で送信する送信手段と、前記他の表示媒体に前記識別情報記憶手段に記憶された前記自己の識別情報を送信するように前記送受信手段を制御すると共に、前記他の表示媒体の他の送受信手段から送信され前記送受信手段で受信された前記他の表示媒体の他の識別情報、前記他の識別情報を受信した側の面を示す情報、及び前記自己の識別情報を前記予め定めた情報として送信するように前記送信手段を制御する制御手段と、を含む。
【０００７】
請求項２記載の発明は、前記送受信手段は、電磁誘導によって信号を送受信する複数のコイルが、当該複数のコイルの磁界をシールドするシールド部材を挟んで成る。
【０００８】
請求項３記載の発明の表示システムは、前記請求項１又は請求項２に記載の複数枚のシート状の表示媒体と、前記予め定めた情報を非接触で受信する受信手段と、前記受信手段により受信した前記予め定めた情報に基づいて、前記複数枚のシート状の表示媒体が隣り合う順番を判断する判断手段と、を備えた制御装置と、を含む。
【０００９】
請求項４記載の発明は、前記複数枚のシート状の表示媒体に設けられた前記送信手段が、電磁誘導によって信号を送信するコイルであり、前記受信手段が、電磁誘導によって信号を受信するコイルである。
【００１０】
請求項５記載の発明は、前記制御装置は、複数の画像データと当該複数の画像データに基づいて表示される複数の画像の並び順とを対応付けて記憶する画像データ記憶手段を更に備え、前記判断手段により判断された前記複数枚のシート状の表示媒体が隣り合う順番と前記画像データ記憶手段に記憶された前記並び順とに基づいて、前記並び順で前記画像が表示されるように、対応する前記画像データを前記複数枚のシート状の表示媒体の各々に送信する。
【００１１】
請求項６記載の発明は、前記送信手段は、前記自己の識別情報を送信するときに前記表示媒体に表示されている画像の画像データを送信し、前記制御装置は、前記複数枚のシート状の表示媒体が隣り合う順番と前記送信手段により送信された前記自己の識別情報及び前記画像データに基づいて、表示されている複数の画像の並び順を判断する。
【発明の効果】
【００１２】
請求項１の発明によれば、複数枚の表示媒体同士が信号の送受信を行うときに、隣り合う表示媒体に備わる信号の送受信手段を厳密に接触させる場合と比較して、隣り合う表示媒体同士の位置自由度を損なうことなく複数枚の表示媒体が信号の送受信を行うことができる、という効果が得られる。
【００１３】
請求項２及び請求項４の発明によれば、電磁誘導によって信号を送受信しない場合と比較して、位置自由度を損なうことなく信号の送受信を行うことができる、という効果が得られる。
【００１４】
請求項３の発明によれば、隣り合せて複数枚配列された表示媒体の隣り合う順番を判断するときに、隣り合う表示媒体に備わる信号の送受信手段を厳密に接触させる場合と比較して、隣り合う表示媒体同士の位置自由度を損なうことなく複数枚の表示媒体の隣り合う順番を判断することができる、という効果が得られる。
【００１５】
請求項５の発明によれば、複数枚の表示媒体の書き換えを行うときに、隣り合う表示媒体に備わる信号の送受信手段を厳密に接触させる場合と比較して、隣り合う表示媒体同士の位置自由度を損なうことなく複数枚の表示媒体の各々に記憶されている並び順で画像が表示されるように画像データを送信することができる、という効果が得られる。
【００１６】
請求項６の発明によれば、複数枚の表示媒体に表示されている画像の並べ替えを行うときに、隣り合う表示媒体に備わる信号の送受信手段を厳密に接触させる場合と比較して、隣り合う表示媒体同士の位置自由度を損なうことなく表示されている複数の画像の並び順を判断することができる、という効果が得られる。
【図面の簡単な説明】
【００１７】
【図１】第１の実施の形態に係る表示システムの概略図である。
【図２】第１の実施の形態に係る表示シートの概略図である。
【図３】第１の実施の形態に係る表示システムの概略断面図である。
【図４】第１の実施の形態に係る表示システムの制御系のブロック図である。
【図５】第１実施の形態に係る制御装置の書換処理のルーチンを示すフローチャートである。
【図６】隣り合う順番判断処理のルーチンを示すフローチャートである。
【図７】第１実施の形態に係る表示パネルの書換処理のルーチンを示すフローチャートである。
【図８】識別情報の送受信処理のルーチンを示すフローチャートである。
【図９】第１実施の形態に係る制御装置の並替処理のルーチンを示すフローチャートである。
【図１０】第１実施の形態に係る表示パネルの並替処理のルーチンを示すフローチャートである。
【図１１】第２の実施の形態に係る表示システムの概略図である。
【図１２】第２の実施の形態に係る表示シートの概略図である。
【図１３】第２の実施の形態に係る表示システムの概略断面図である。
【図１４】第２の実施の形態に係る表示システムの制御系のブロック図である。
【図１５】第３の実施の形態に係る表示システムの概略図である。
【図１６】第３の実施の形態に係る表示シートの概略図である。
【図１７】第３の実施の形態に係る表示システムの概略断面図である。
【図１８】第３の実施の形態に係る表示システムの制御系のブロック図である。
【図１９】第３実施の形態に係る表示パネルの書換処理のルーチンを示すフローチャートである。
【発明を実施するための形態】
【００１８】
以下、本発明を実施するための最良の形態を、図面を参照して説明する。
（第１実施形態）
図１に示されるように、本発明の第１の実施の形態に係る表示内容の書き換えが可能な表示システム１０は、画像や文字を表示するＮ（Ｎは整数）枚の表示シート１２１，１２２，・・・，１２Ｎ（以下、各々を区別しない場合は「表示シート１２」と記載する）からなる表示シート群と、表示シート１２の表示動作等を制御する制御装置１４とで構成されている。各表示シート１２は、制御装置１４に載せられた状態で、制御装置１４によって表示動作等が制御される。
【００１９】
図２は表示シート１２の外観を示す図であり、同図（Ａ）は表示シート１２の表面を示し、同図（Ｂ）は表示シート１２の裏面を示している。
【００２０】
図２（Ａ）に示されるように、表示シート１２は、表面に画像や文字が表示されるディスプレイ１６を備えている。このディスプレイ１６は、例えば、透明な表示基板と、対向する背面基板と、基板間に封入された粒子群を含んで構成され、画像データに応じた粒子の移動により画像を表示する。
【００２１】
また、表示シート１２は、制御装置１４とデータの送受信を行なうための表示側貫通式コイル１８を備えている。表示側貫通式コイル１８は、制御装置１４に複数枚の表示シート１２が重ねられた状態で、透過によって他の表示シート１２を貫通して通信を行なうために設けられた無線通信手段の一部を構成し、電磁誘導によって信号を送受信する。
【００２２】
さらに、表示シート１２の表面には、図２（Ａ）、図３に示すように、上面非貫通式コイル２０Ａ、下面非貫通式コイル２０Ｂが磁界をシールドするための磁性体シート２２を挟んで成る無線通信手段が設けられている。上面非貫通式コイル２０Ａは、制御装置１４に複数枚の表示シート１２が重ねられた状態で、表面側に隣り合う表示シート１２の下面非貫通式コイル２０Ｂと非接触でデータの送受信を行なう。また、下面非貫通式コイル２０Ｂは、制御装置１４に複数枚の表示シート１２が重ねられた状態で、裏面側に隣り合う表示シート１２の上面非貫通式コイル２０Ａと非接触でデータの送受信を行なう。なお、上面非貫通式コイル２０Ａ、下面非貫通式コイル２０Ｂ、及び磁性体シート２２は、表示シート１２の表面ではなく、裏面に設けるようにしてもよい。
【００２３】
上面非貫通式コイル２０Ａ、下面非貫通式コイル２０Ｂは、電磁誘導によって信号を送受信する無線通信手段の一部を構成する。
【００２４】
なお、上面非貫通式コイル２０Ａ、下面非貫通式コイル２０Ｂの間に磁性体シート２２を設けることにより、上面非貫通式コイル２０Ａは、表面側に隣り合う表示シート１２の下面非貫通式コイル２０Ｂとのみ信号の送受信を行い、下面非貫通式コイル２０Ｂは、裏面側に隣り合う表示シート１２の上面非貫通式コイル２０Ａとのみ信号の送受信を行う。
【００２５】
図３は、制御装置１４に複数枚の表示シート１２が重ねられた状態の断面を示している。
【００２６】
図３に示されるように、表示シート１２の表面に設けられた上面非貫通式コイル２０Ａは、矢印３Ａで示されるように表面側に隣り合う表示シート１２に備えられた下面非貫通式コイル２０Ｂのみとデータの送受信を行なう。同様に、表示シート１２の表面に設けられた下面非貫通式コイル２０Ｂは、矢印３Ｂで示されるように裏面側に隣り合う表示シート１２に備えられた上面非貫通式コイル２０Ａのみとデータの送受信を行なう。
【００２７】
このように、隣り合う表示シート１２同士は、表示シート１２を識別するための識別情報を互いに送受信することにより、各々の表示シート１２は、表面側に隣り合う表示シート１２の識別情報、及び裏面側に隣り合う表示シート１２の識別情報を得る。
【００２８】
一方、制御装置１４は、複数枚の表示シート１２が重ねられた状態で、複数枚の表示シート１２の各々とデータの送受信を行なうための制御側貫通式コイル２８を備えている。制御側貫通式コイル２８は、制御装置１４に複数枚の表示シート１２が重ねられた状態でも、透過によってデータの送受信先以外の表示シート１２を貫通して通信を行なう無線通信手段の一部を構成しており、電磁誘導によって信号を送受信する。
【００２９】
図３に示されるように、制御装置１４に備わる制御側貫通式コイル２８と、各々の表示シート１２に備わる表示側貫通式コイル１８の各々とは、矢印３Ｃで示されるように直接データの送受信を行なう。
【００３０】
制御装置１４は、各々の表示シート１２に、識別情報の送信要求、及びディスプレイ１６に表示させる画像データ等を送信する。各々の表示シート１２は制御装置１４に、表面側から受信したことを示す情報と対応付けた表面側に隣り合う表示シート１２の識別情報、裏面側から受信したことを示す情報と対応付けた裏面側に隣り合う表示シート１２の識別情報、及び自己の識別情報を１組とした１組の情報、並びにディスプレイ１６に表示している画像の画像データを送信する。
【００３１】
次に、図４を参照して、表示システム１０の制御系の要部構成を説明する。
【００３２】
表示シート１２は、マイクロコンピュータを含んで構成され、表示シート１２の各部の動作を制御する制御部３０を備えている。
【００３３】
制御部３０と表示側貫通式コイル１８とは、符号化、及びデジタル−アナログ変換等を行なうことで送信するデータを送信可能な形式に変換すると共に、アナログ−デジタル変換、及び復号化等を行なうことで受信したデータを制御部３０が処理可能な形式に変換する送受信部３２を介して接続されている。
【００３４】
同様に、制御部３０と上面非貫通式コイル２０Ａとは送受信部３４を介して接続されている。また、制御部３０と下面非貫通式コイル２０Ｂとは送受信部３６を介して接続されている。
【００３５】
また、制御部３０は、自己の識別情報、ディスプレイ１６に表示する画像データ等を記憶する手段であるメモリ３８と接続されている。
【００３６】
さらに、制御部３０は、ディスプレイ１６に画像を表示させるディスプレイコントローラ４０と接続されている。
【００３７】
制御部３０は、表示側貫通式コイル１８を介して識別情報の送信要求を受信すると、上面非貫通式コイル２０Ａ、及び下面非貫通式コイル２０Ｂに、メモリ３８に記憶されている識別情報を送信させるように送受信部３４，３６を制御すると共に、表面側に隣り合う表示シート１２に設けられた下面非貫通式コイル２０Ｂから送信されて上面非貫通式コイル２０Ａを介して受信した表面側に隣り合う表示シート１２の識別情報、裏面側に隣り合う表示シート１２に設けられた上面非貫通式コイル２０Ａから送信されて下面非貫通式コイル２０Ｂを介して受信した裏面側に隣り合う表示シート１２の識別情報を、受信した面を示す情報と対応付けて、自己の識別情報と共に１組の情報として表示側貫通式コイル１８から送信されるように送受信部３２を制御する。
【００３８】
また、制御部３０は、表示側貫通式コイル１８を介して画像データを受信すると、メモリ３８に記憶させると共に、ディスプレイ１６に受信した画像データに応じた画像を表示させるようにディスプレイコントローラ４０を制御する。
【００３９】
さらに、制御部３０は、表示側貫通式コイル１８を介してディスプレイ１６に表示している画像の画像データの送信要求を受信すると、メモリ３８に記憶されている画像データと自己の識別情報とを対応付けて表示側貫通式コイル１８から送信されるように送受信部３２を制御する。
【００４０】
また、表示シート１２は、電源４２を備えており、電源４２から各部への電力の供給が行なわれるようになっている。
【００４１】
一方、制御装置１４は、マイクロコンピュータを含んで構成され、制御装置１４の各部の動作を制御する制御部４４を備えている。
【００４２】
制御部４４と制御側貫通式コイル２８とは、符号化、及びデジタル−アナログ変換等を行なうことで送信するデータを送信可能な形式に変換すると共に、アナログ−デジタル変換、及び復号化等を行なうことで受信したデータを制御部４４により処理可能な形式に変換する送受信部４６を介して接続されている。
【００４３】
制御部４４は、制御側貫通式コイル２８から識別情報の送信要求が送信されるように送受信部４６を制御する。
【００４４】
制御部４４は、制御側貫通式コイル２８を介して、表示シート１２の各々から、表面側から受信したことを示す情報と対応付けた表面側に隣り合う表示シート１２の識別情報、裏面側から受信したことを示す情報と対応付けた裏面側に隣り合う表示シート１２の識別情報、及び自己の識別情報を１組とした１組の情報を受信すると、後述する隣り合う順番判断処理を行なうことによって複数枚の表示シート１２が隣り合う順番を判断する。
【００４５】
また、制御部４４は記憶手段であるメモリ４８と接続されている。メモリ４８には、各々の表示シート１２のディスプレイ１６に表示させる複数の画像データと、この複数の画像データに基いて表示される複数の画像の並び順の情報とが対応付けて記憶されている。この複数の画像の並び順の情報は、例えば、１番上に重ねられた（以下「１ページ目の」という）表示シート１２１に画像１を表示させ、２番目に重ねられた（以下「２ページ目の」という）表示シート１２２に画像２を表示させ、・・・、１番下に重ねられた（以下「Ｎページ目の」という）表示シート１２Ｎに画像Ｎを表示させることを示す情報である。
【００４６】
制御部４４は、複数枚の表示シート１２が隣り合う順番と、メモリ４８に記憶されている画像の並び順とを対応付けることで、複数枚の表示シート１２の各々に送信する画像データを判断する。例えば、１ページ目の表示シート１２１に画像１を表示させ、２ページ目の表示シート１２２に画像２を表示させ、３ページ目の表示シート１２３に画像３を表示させ、４ページ目の表示シート１２４に画像４を表示させ、５ページ目の表示シート１２５に画像５を表示させる場合、１ページ目の表示シート１２１に画像１を表す画像データ１を送信し、２ページ目の表示シート１２２に画像２を表す画像データ２を送信し、３ページ目の表示シート１２３に画像３を表す画像データ３を送信し、４ページ目の表示シート１２４に画像４を表す画像データ４を送信し、５ページ目の表示シート１２５に画像５を表す画像データ５を送信するように制御すればよい。例えば、以下の表１に示されるような識別情報が各表示シート１２のメモリ３８に記憶されている場合には、識別情報が「Ｂ」の表示シート１２に画像データ１を送信し、識別情報が「Ｃ」の表示シート１２に画像データ２を送信し、識別情報が「Ｅ」の表示シート１２に画像データ４を送信し、識別情報が「Ａ」の表示シート１２に画像データ４を送信し、識別情報が「Ｄ」の表示シート１２に画像データ５を送信するように制御すればよい。
【００４７】
【表１】
2010175822.tif 000003
さらに、制御部４４は、表示シート１２のディスプレイ１６に表示されている画像の画像データの送信要求が、制御側貫通式コイル２８から送信されるように送受信部４６を制御する。
【００４８】
制御部４４は、制御側貫通式コイル２８を介して識別情報と画像データとを各々の表示シート１２から受信し、識別情報の各々と、複数枚の表示シート１２が隣り合う順番とを比較することにより、画像データの各々を複数枚の表示シート１２が隣り合う順番に並べ替える。すなわち、上記の表１に示されるような識別情報が各表示シート１２のメモリ３８に記憶されている場合には、識別情報が「Ｂ」の表示シート１２から受信した画像データは１ページ目の画像データ、識別情報が「Ｃ」の表示シート１２から受信した画像データは２ページ目の画像データ、識別情報が「Ｅ」の表示シート１２から受信した画像データは３ページ目の画像データ、識別情報が「Ａ」の表示シート１２から受信した画像データは４ページ目の画像データ、識別情報が「Ｄ」の表示シート１２から受信した画像データは５ページ目の画像データと判断して画像データを並べ替える。
【００４９】
また、制御装置１４は、電源５０を備えており、電源５０から各部への電力の供給が行なわれるようになっている。
【００５０】
次に、表示システム１０による画像の書換処理の説明を行なう。
【００５１】
まず、図５，６を参照して、制御装置１４の制御部４４による処理のルーチンを説明する。
【００５２】
制御装置１４の制御部４４は、まず、図６に示される隣り合う順番判断処理を行なう（図５のステップ１００）。
【００５３】
ステップ１１０では、表示シート１２が制御装置１４に載せられたか否かを判定する。肯定された場合はステップ１１２へ移行し、否定された場合はステップ１１０へ戻る。
【００５４】
ステップ１１２では、載せられている表示シート１２の各々に識別情報の送信情報を制御側貫通式コイル２８から送信されるように送受信部４６を制御する。
【００５５】
ステップ１１４では、載せられている全ての表示シート１２の各々から、表面側から受信したことを示す情報と対応付けた表面側に隣り合う表示シート１２の識別情報、裏面側から受信したことを示す情報と対応付けた裏面側に隣り合う表示シート１２の識別情報、及び自己の識別情報を１組とした１組の情報を受信したか否かを判定する。肯定された場合はステップ１１６へ移行し、否定された場合はステップ１１４へ戻る。
【００５６】
ステップ１１６では、変数「Ｍ」に「０」を代入する。ここで、変数「Ｍ」は整数である。
【００５７】
ステップ１１８では、表示シート１２のうち、表面側から識別情報を受信していない表示シート１２を選択する。すなわち、受信した１組の情報のうち、表面側から受信した識別情報が欠けている表示シート１２の表面側には、他の表示シート１２が重ねられていないため、１ページ目の表示シート１２として決定する。
【００５８】
ステップ１２０では、変数「Ｍ」を「１」インクリメントする。
【００５９】
ステップ１２２では、選択された表示シート１２の自己の識別情報を１ページ目の表示シート１２の識別情報とする。
【００６０】
ステップ１２４では、１ページ目の表示シート１２は、裏面側から識別情報を受信したか否かを判定する。受信している場合はステップ１２６へ移行し、受信していない場合は、次に続く表示シート１２が存在せず、ページが決定された表示シート１２が最終ページであるため、本ルーチンを終了する。
【００６１】
ステップ１２６では、上記のようにして決定された１ページ目の表示シートの識別情報を表面側から受信した表示シート１２を選択し、ステップ１２０で変数「Ｍ」を１インクリメントする。そして、ステップ１２２において、選択された表示シート１２を２ページ目の表示シート１２として決定する。
【００６２】
以下同様にして、ページが決定された表示シート１２の識別情報を表面側から受信した表示シート１２を選択し（ステップ１２６）、変数「Ｍ」を１インクリメントし（ステップ１２０）、選択された表示シート１２をＭページ目の表示シート１２として決定する（ステップ１２２）。そして、ページが決定された表示シート１２が裏面側から識別情報を受信していない場合には最終ページとする（ステップ１２４）。
【００６３】
なお、上記では、１ページ目から表示シート１２の重ねあわせ順を判定する例について説明したが、裏面側から識別情報を受信していない表示シート１２を最終ページと決定した後、ページが決定された表示シート１２の識別情報を裏面側から受信した表示シート１２を選択し、変数「Ｍ」を１ディクリメントし、選択された表示シートをＭページ目の表示シート１２として決定し、ページが決定された表示シート１２が、表面側から識別情報を受信していない場合には、１ページ目の表示シート１２としてもよい。
【００６４】
例えば、上記の表１に示されるような識別情報が各表示シート１２のメモリ３８に記憶されているとする。この場合、制御部４４は、以下の表２に示される情報を各表示シート１２から受信する。
【００６５】
【表２】
2010175822.tif 000004
制御部４４は、まず、表示シート１２のうち表面側から識別情報を受信していない自己の識別情報が「Ｂ」の表示シート１２を選択し（ステップ１１８）、１ページ目の表示シート１２として決定して、１ページ目の識別情報を「Ｂ」とする（ステップ１２０，１２２）。
【００６６】
次に、表面側から受信した識別情報が「Ｂ」である表示シート１２を選択し（ステップ１２６）、２ページ目の表示シート１２として決定して、２ページ目の表示シート１２の識別情報を「Ｃ」とする（ステップ１２０，１２２）。
【００６７】
同様に、表面側から受信した識別情報が「Ｃ」である表示シート１２を選択し（ステップ１２６）、３ページ目の表示シート１２として決定して、３ページ目の表示シート１２の識別情報を「Ｅ」とする（ステップ１２０，１２２）。
【００６８】
次に、表面側から受信した識別情報が「Ｅ」である表示シート１２を選択し（ステップ１２６）、４ページ目の表示シート１２として決定して、４ページ目の表示シート１２の識別情報を「Ａ」とする（ステップ１２０，１２２）。
【００６９】
次に、表面側から受信した識別情報が「Ａ」である表示シート１２を選択し（ステップ１２６）、５ページ目の表示シート１２として決定して、５ページ目の表示シート１２の識別情報を「Ｄ」とする（ステップ１２０，１２２）。
【００７０】
また、５ページ目の表示シート１２は、裏面側から識別情報を受信していないため（ステップ１２４）、最終ページであると判定する。
【００７１】
上記の処理により、複数枚の表示シート１２が隣り合う順番を判断する。
【００７２】
次に、ディスプレイ１６の表示画像を書き換える表示シート１２を識別情報によって指定し（図５のステップ１０２）、指定した表示シート１２に画像データを送信する（ステップ１０４）。
【００７３】
制御部４４は、ステップ１００の隣り合う順番判断処理により判断された複数枚の表示シート１２が隣り合う順番と、メモリ４８に記憶されている画像の並び順とを対応付けることで、各々の表示シート１２に送信する画像データを判断する。例えば、１ページ目の表示シート１２１に画像１を表示させ、２ページ目の表示シート１２２に画像２を表示させ、３ページ目の表示シート１２３に画像３を表示させ、４ページ目の表示シート１２４に画像４を表示させ、５ページ目の表示シート１２５に画像５を表示させる場合、上記の表１に示されるような識別情報が各表示シート１２のメモリ３８に記憶されているときには、識別情報が「Ｂ」の表示シート１２に画像データ１を送信し、識別情報が「Ｃ」の表示シート１２に画像データ２を送信し、識別情報が「Ｅ」の表示シート１２に画像データ３を送信し、識別情報が「Ａ」の表示シート１２に画像データ４を送信し、識別情報が「Ｄ」の表示シート１２に画像データ５を送信するように制御すればよい。
【００７４】
ステップ１０６では、書き換えるべき表示シート１２の有無を判定する。有りの場合はステップ１０２へ戻り、無しの場合は本ルーチンは終了する。
【００７５】
次に、図７，８を参照して、表示シート１２の制御部３０による処理のルーチンを説明する。
【００７６】
表示シート１２の制御部３０は、まず、図８に示される識別情報の送受信処理を行なう（図７のステップ１５０）。
【００７７】
ステップ１６０では、制御装置１４から識別情報の送信要求を受信したか否かを判定する。肯定された場合はステップ１６２へ移行し、否定された場合はステップ１６０に戻る。
【００７８】
ステップ１６２では、表面側及び裏面側に重ねられている表示シート１２に自己の識別情報を送信する。
【００７９】
ステップ１６４では、表示シート１２の表面側に表示シート１２が重ねられているか否かを判定する。肯定された場合はステップ１６６へ移行し、否定された場合はステップ１６８へ移行する。
【００８０】
ステップ１６６では、表面側に重ねられている表示シート１２から識別情報を受信したか否かを判定する。表面側に重ねられている表示シート１２から識別情報を受信した場合はステップ１６８へ移行し、受信していない場合はステップ１６６へ戻る。
【００８１】
ステップ１６８では、表示シート１２の裏面側に表示シート１２が重ねられているか否かを判定する。肯定された場合はステップ１７０へ移行し、否定された場合はステップ１７２へ移行する。
【００８２】
ステップ１７０では、裏面側に重ねられている表示シート１２から識別情報を受信したか否かを判定する。裏面側に重ねられている表示シート１２から識別情報を受信した場合はステップ１７２へ移行し、受信していない場合はステップ１７０へ戻る。
【００８３】
ステップ１７２では、表面側から受信したことを示す情報と対応付けた表面側に隣り合う表示シート１２の識別情報、裏面側から受信したことを示す情報と対応付けた裏面側に隣り合う表示シート１２の識別情報、及び自己の識別情報を１組とした１組の情報を制御装置１４へ送信する。例えば、各表示シート１２は上記の表２に示されるような１組の情報を送信する。
【００８４】
図７のステップ１５２では、画像データを受信したか否かを判定する。肯定された場合はステップ１５４へ移行し、否定された場合はステップ１５２に戻る。
【００８５】
ステップ１５４では、ディスプレイコントローラ４０を制御して、ディスプレイ１６の表示画像を書き換える。
【００８６】
次に、表示システム１０による表示されている画像の並替処理の説明を行なう。
【００８７】
まず、図９を参照して、制御装置１４の制御部４４による処理のルーチンを説明する。
【００８８】
制御装置１４の制御部４４は、まず、上記の図６に示される隣り合う順番判断処理を行なう（図９のステップ２００）。
【００８９】
次に、ディスプレイ１６の表示画像を読込む表示シート１２を識別情報によって指定し（ステップ２０２）、指定した表示シート１２から画像データを受信する（ステップ２０４）。
【００９０】
ステップ２０６では、指定していない表示シート１２の有無を判定する。有りの場合はステップ２０２へ戻り、無しの場合はステップ２０８へ移行する。
【００９１】
ステップ２０８では並替処理を行なう。
【００９２】
例えば、上記の表１に示されるような識別情報が各表示シート１２のメモリ３８に記憶されている場合について説明する。識別情報が「Ａ」の表示シート１２から画像データＡを受信し、識別情報が「Ｂ」の表示シート１２から画像データＢを受信し、識別情報が「Ｃ」の表示シート１２から画像データＣを受信し、識別情報が「Ｄ」の表示シート１２から画像データＤを受信し、識別情報が「Ｅ」の表示シート１２から画像データＥを受信した場合には、表示システム１０の１ページ目には画像データＢの画像が表示され、２ページ目には画像データＣの画像が表示され、３ページ目には画像データＥの画像が表示され、４ページ目には画像データＡの画像が表示され、５ページ目には画像データＤの画像が表示されていると判断する。
【００９３】
また、表示システム１０の１ページ目には画像データＡの画像を表示させ、２ページ目には画像データＢの画像を表示させ、３ページ目には画像データＣの画像を表示させ、４ページ目には画像データＤの画像を表示させ、５ページ目には画像データＥの画像を表示させたい場合は、識別情報が「Ｂ」の表示シート１２に画像データＡを送信し、識別情報が「Ｃ」の表示シート１２に画像データＢを送信し、識別情報が「Ｅ」の表示シート１２に画像データＣを送信し、識別情報が「Ａ」の表示シート１２に画像データＤを送信し、識別情報が「Ｄ」の表示シート１２に画像データＥを送信するように制御すればよい。
【００９４】
次に、図１０を参照して、表示シート１２の制御部３０による処理のルーチンを説明する。
【００９５】
表示シート１２の制御部３０は、まず、上記の図８に示される識別情報の送受信処理を行なう（図１０のステップ２５０）。
【００９６】
次に、制御装置１４から画像データ送信要求を受信したか否かを判定し（ステップ２５２）、肯定された場合はメモリ３８に記憶されている画像データを送信するように制御する（ステップ２５４）。否定された場合はステップ２５２に戻る。
【００９７】
このように、本実施の形態では、表示シートの表面側に、隣り合う表示シートと非接触でデータの送受信を行なうための無線通信手段を備え、表面側から受信したことを示す情報と対応付けた表面側に隣り合う表示シートの識別情報、裏面側から受信したことを示す情報と対応付けた裏面側に隣り合う表示シートの識別情報、及び自己の識別情報を１組とした１組の情報を制御装置に送信して、制御装置が複数枚の表示シートが隣り合う順番を判断する。これにより、隣り合う表示シート同士の位置自由度を損なうことなく複数枚の表示シートが隣り合う順番が判断され、書換処理及び並替処理が行なわれる。
【００９８】
（第２の実施の形態）
続いて、本発明の第２の実施の形態に係る表示システムについて説明する。
【００９９】
第１の実施の形態では、表示シートの識別情報を、複数枚の表示シートが重ねられた状態で透過によって他の表示シートを貫通して通信を行なう無線通信手段によって制御装置へ送信する場合について説明したが、第２の実施の形態では、隣り合う表示シート同士が他の表示シートを貫通せずに通信を行なう無線通信手段によって制御装置へ表示シートの識別情報を送信する場合について説明する。以下では、第１の実施の形態に対する差異を説明する。
【０１００】
図１１に示されるように、本発明の第２の実施の形態に係る表示内容の書き換えが可能な表示システム３００は、画像や文字を表示するＮ枚の表示シート３０２１，３０２２，・・・，３０２Ｎ（以下、各々を区別しない場合は「表示シート３０２」と記載する）からなる表示シート群と、表示シート３０２の表示動作等を制御する制御装置３０４とで構成されている。
【０１０１】
図１２は表示シート３０２の外観を示す図であり、同図（Ａ）は表示シート３０２の表面を示し、同図（Ｂ）は表示シート３０２の裏面を示している。
【０１０２】
図１２（Ａ）に示されるように、表示シート３０２は、制御装置３０４と画像データの送受信を行なうための表示側貫通式コイル３０６を備えている。表示側貫通式コイル３０６は、制御装置３０４に複数枚の表示シート３０２が重ねられた状態でも、透過によって他の表示シート３０２を貫通して通信を行なう無線通信手段の一部を構成する。
【０１０３】
さらに、表示シート３０２の表面には、図１２（Ａ）、図１３に示すように、上面非貫通式コイル３０８Ａ、下面非貫通式コイル３０８Ｂが磁界をシールドするための磁性体シート３１０を挟んで成る無線通信手段が設けられている。上面非貫通式コイル３０８Ａは、制御装置３０４に複数枚の表示シート３０２が重ねられた状態で、表面側に隣り合う表示シート１２の下面非貫通式コイル３０８Ｂと非接触でデータの送受信を行なう。また、下面非貫通式コイル３０８Ｂは、制御装置３０４に複数枚の表示シート３０２が重ねられた状態で、裏面側に隣り合う表示シート３０２の上面非貫通式コイル３０８Ａと非接触でデータの送受信を行なう。
【０１０４】
上面非貫通式コイル３０８Ａ、下面非貫通式コイル３０８Ｂは、電磁誘導によって信号を送受信する無線通信手段の一部を構成する。
【０１０５】
なお、上面非貫通式コイル３０８Ａ、下面非貫通式コイル３０８Ｂの間に磁性体シート３１０を設けることにより、上面非貫通式コイル３０８Ａは、表面側に隣り合う表示シート３０２の下面非貫通式コイル３０８Ｂとのみ信号の送受信を行い、下面非貫通式コイル３０８Ｂは、裏面側に隣り合う表示シート３０２の上面非貫通式コイル３０８Ａとのみ信号の送受信を行う。
【０１０６】
制御装置３０４に複数枚の表示シート３０２が重ねられた状態の断面を図１３に図示する。
【０１０７】
図１３に示されるように、制御装置３０４は、Ｎ枚目の表示シート３０２Ｎの表面に設けられた下面非貫通式コイル３０８Ｂのみとデータの送受信を行なうための制御側非貫通式コイル３１６を備えており、Ｎ枚目の表示シート３０２Ｎの表面に設けられた下面非貫通式コイル３０８Ｂは、矢印１３Ａで示されるように制御側非貫通式コイル３１６のみとデータの送受信を行なう。これにより、制御装置３０４は、表示シート３０２の各々から、バケツリレー式で、表面側から受信したことを示す情報と対応付けた表面側に隣り合う表示シート３０２の識別情報、裏面側から受信したことを示す情報と対応付けた裏面側に隣り合う表示シート３０２の識別情報、及び自己の識別情報を１組とした１組の情報を受信する。
【０１０８】
また、制御装置３０４は、複数枚の表示シート３０２が重ねられた状態で、複数枚の表示シート３０２と画像データの送受信を行なうための制御側貫通式コイル３１８を備えている。制御側貫通式コイル３１８は、制御装置３０４に複数枚の表示シート１２が重ねられた状態でも、透過によって画像データの送受信先以外の表示シート３０２を貫通して通信を行なう無線通信手段の一部を構成する。制御装置３０４は各々の表示シート３０２に、識別情報の送信要求、及びディスプレイ１６に表示させる画像データ等を送信する。一方、各々の表示シート１２は制御装置１４に、ディスプレイ１６に表示している画像の画像データ等を送信する。
【０１０９】
次に、図１４を参照して、表示システム３００の制御系の要部構成を説明する。
【０１１０】
表示シート３０２は、マイクロコンピュータを含んで構成され、表示シート３０２の各部の動作を制御する制御部３２０を備えている。
【０１１１】
制御部３２０と表示側貫通式コイル３０６とは、送信するデータを送信可能な形式に変換すると共に、受信したデータを制御部３２０が処理可能な形式に変換する送受信部３２２を介して接続されている。
【０１１２】
同様に、制御部３２０と上面非貫通式コイル３０８Ａとは送受信部３２４を介して接続されている。また、制御部３２０と下面非貫通式コイル３０８Ｂとは送受信部３２６を介して接続されている。
【０１１３】
制御部３２０は、表示側貫通式コイル３０６を介して識別情報の送信要求を受信すると、上面非貫通式コイル３０８Ａ及び下面非貫通式コイル３０８Ｂに、メモリ３８に記憶されている識別情報を送信させるように送受信部３２４，３２６を制御すると共に、表面側に隣り合う表示シート３０２に設けられた下面非貫通式コイル３０８Ｂから送信されて上面非貫通式コイル３０８Ａを介して受信した表面側に隣り合う表示シート３０２の識別情報、裏面側に隣り合う表示シート３０２に設けられた上面非貫通式コイル３０８Ａから送信されて下面非貫通式コイル３０８Ｂを介して受信した裏面側に隣り合う表示シート３０２の識別情報を、受信した面を示す情報と対応付けて、自己の識別情報と共に１組の情報として下面非貫通式コイル３０８Ｂから送信されるように送受信部３２６を制御する。下面非貫通式コイル３０８Ｂから送信された表面側から受信したことを示す情報と対応付けた表面側に隣り合う表示シート３０２の識別情報、裏面側から受信したことを示す情報と対応付けた裏面側に隣り合う表示シート３０２の識別情報、及び自己の識別情報を１組とした１組の情報は、裏面側に隣り合う表示シート３０２の上面非貫通式コイル３０８Ａに受信され、バケツリレー式で、制御側非貫通式コイル３１６まで送信される。
【０１１４】
一方、制御装置３０４は、マイクロコンピュータを含んで構成され、制御装置３０４の各部の動作を制御する制御部３２８を備えている。
【０１１５】
制御部３２８と制御側貫通式コイル３１８とは、送信するデータを送信可能な形式に変換すると共に、受信したデータを制御部３２８により処理可能な形式に変換する送受信部３３０を介して接続されている。同様に、制御部３２８と制御側非貫通式コイル３１６とは、送受信部３３２を介して接続されている。
【０１１６】
制御部３２８は、制御側非貫通式コイル３１６を介して、表示シート３０２の各々から、表面側から受信したことを示す情報と対応付けた表面側に隣り合う表示シート３０２の識別情報、裏面側から受信したことを示す情報と対応付けた裏面側に隣り合う表示シート３０２の識別情報、及び自己の識別情報を１組とした１組の情報を受信すると、後述する隣り合う順番判断処理を行なうことによって複数枚の表示シート３０２が隣り合う順番を判断する。
【０１１７】
第２の実施の形態では、第１の実施の形態と同じルーチンで表示システム３００による画像の書換処理、及び並替処理を行なう。
（第３の実施の形態）
続いて、本発明の第３の実施の形態に係る表示システムについて説明する。
【０１１８】
第１の実施の形態では、制御装置に複数枚の表示シートが重ねられた状態で、透過によって他の表示シートを貫通して通信を行なう無線通信手段によって、制御装置と表示シートの各々とが送受信を行う場合について説明したが、第３の実施の形態では、隣り合う表示シート同士が他の表示シートを貫通せずに通信を行なう無線通信手段によって制御装置と表示シートの各々とが送受信を行う場合について説明する。以下では、第１の実施の形態に対する差異を説明する。
【０１１９】
図１５に示されるように、本発明の第３の実施の形態に係る表示内容の書き換えが可能な表示システム３５０は、画像や文字を表示するＮ枚の表示シート３５２１，３５２２，・・・，３５２Ｎ（以下、各々を区別しない場合は「表示シート３５２」と記載する）からなる表示シート群と、表示シート３５２の表示動作等を制御する制御装置３５４とで構成されている。
【０１２０】
図１６は表示シート３５２の外観を示す図であり、同図（Ａ）は表示シート３５２の表面を示し、同図（Ｂ）は表示シート３５２の裏面を示している。
【０１２１】
図１６（Ａ）、図１７に示されるように、表示シート３５２の表面には、上面非貫通式コイル３５６Ａ、下面非貫通式コイル３５６Ｂが磁界をシールドするための磁性体シート３５８を挟んで成る無線通信手段が設けられている。
【０１２２】
上面非貫通式コイル３５６Ａは、制御装置３５４に複数枚の表示シート３５２が重ねられた状態で、表面側に隣り合う表示シート３５２の下面非貫通式コイル３５６Ｂと非接触でデータの送受信を行なう。また、下面非貫通式コイル３５６Ｂは、制御装置３５４に複数枚の表示シート３５２が重ねられた状態で、裏面側に隣り合う表示シート１２の上面非貫通式コイル３５６Ａと非接触でデータの送受信を行なう。
【０１２３】
上面非貫通式コイル３５６Ａ、下面非貫通式コイル３５６Ｂは、電磁誘導によって信号を送受信する無線通信手段の一部を構成する。
【０１２４】
なお、上面非貫通式コイル３５６Ａ、下面非貫通式コイル３５６Ｂの間に磁性体シート３５８を設けることにより、上面非貫通式コイル３５６Ａは、表面側に隣り合う表示シート３５２の下面非貫通式コイル３５６Ｂとのみ信号の送受信を行い、下面非貫通式コイル３５６Ｂは、裏面側に隣り合う表示シート３５２の上面非貫通式コイル３５６Ａとのみ信号の送受信を行う。
【０１２５】
制御装置３５４に複数枚の表示シート３５２が重ねられた状態の断面を図１７に図示する。
【０１２６】
図１７に示されるように、制御装置３５４は、Ｎ枚目の表示シート３５２Ｎの表面に設けられた下面非貫通式コイル３５６Ｂのみとデータの送受信を行なうための制御側非貫通式コイル３６４を備えており、Ｎ枚目の表示シート３５２Ｎの表面に設けられた下面非貫通式コイル３５６Ｂは、矢印１７Ａで示されるように制御側非貫通式コイル３６４のみとデータの送受信を行なう。このように、制御装置３５４は、表示シート３５２の各々と、バケツリレー式でデータ送受信する。
【０１２７】
次に、図１８を参照して、表示システム３５０の制御系の要部構成を説明する。
【０１２８】
表示シート３５２は、マイクロコンピュータを含んで構成され、表示シート３５２の各部の動作を制御する制御部３６６を備えている。
【０１２９】
制御部３６６と上面非貫通式コイル３５６Ａとは、送信するデータを送信可能な形式に変換すると共に、受信したデータを制御部３６６が処理可能な形式に変換する送受信部３６８を介して接続されている。同様に、制御部３６６と下面非貫通式コイル３５６Ｂとは送受信部３７０を介して接続されている。
【０１３０】
制御部３６６は、制御装置３５４に送信するデータが下面非貫通式コイル３５６Ｂから送信されるように送受信部３７０を制御する。下面非貫通式コイル３５６Ｂから送信されたデータは、裏面側に隣り合う表示シート３５２の上面非貫通式コイル３５６Ａに受信され、バケツリレー式で、制御側非貫通式コイル３６４まで送信される。
【０１３１】
一方、制御装置３５４は、マイクロコンピュータを含んで構成され、制御装置３５４の各部の動作を制御する制御部３７２を備えている。
【０１３２】
制御部３７２と制御側非貫通式コイル３６４とは、送信するデータを送信可能な形式に変換すると共に、受信したデータを制御部３７２により処理可能な形式に変換する送受信部３７４を介して接続されている。
【０１３３】
制御部３７２は、制御側非貫通式コイル３６４により、表示シート３５２の各々とデータが送受信されるように送受信部３７４を制御する。制御側非貫通式コイル３６４から送信されたデータは、Ｎ枚目の表示シート３５２Ｎの表面に備わる下面非貫通式コイル３５６Ｂに受信され、バケツリレー式で表示シート３５２の各々に送信される。
【０１３４】
次に、表示システム３５０による画像の書換処理の説明を行なう。
【０１３５】
第３の実施の形態の制御装置３５４の制御部３７２による画像の書換処理は、第１の実施の形態と同じルーチンで行なう。
【０１３６】
表示シート３５２の制御部３６６による処理のルーチンを図１９を参照して説明する。
【０１３７】
ステップ４００では、上記の図８に示される識別情報の送受信処理を行なう。
【０１３８】
ステップ４０２では、画像データを受信したか否かを判定する。肯定された場合はステップ４０４へ移行し、否定された場合はステップ４０２に戻る。
【０１３９】
ステップ４０４では、画像データと一緒に受信した識別情報は自己の識別情報か否かを判定する。肯定された場合はステップ４０６へ移行し、否定された場合はステップ４０８へ移行する。
【０１４０】
ステップ４０６では、ディスプレイコントローラ４０を制御して、ディスプレイ１６の表示画像を書き換える。
【０１４１】
ステップ４０８では、受信した画像データを、上面非貫通式コイル３５６Ａを介して表面側と隣り合う表示シート３５２へ送信するように送受信部３６８を制御する。
【０１４２】
第３の実施の形態では、表示システム３５０による画像の並替処理は、第１の実施の形態と同じルーチンで行なう。
【０１４３】
なお、上記の実施の形態では表示シートに電源が備えられた形態を説明したが、表示シートに電源を備えない構成としてもよい。この場合、例えば制御装置から電磁誘導によって電力を供給するとよい。電力の供給は、制御側貫通式コイルと表示側貫通式コイルとを用いてもよいし、電力供給用のコイルを新たに設けてもよい。
【０１４４】
また、上記の実施の形態では、制御装置に複数枚の表示シートが重ねられた状態でも、透過によって制御装置と表示シートの各々とが他の表示シートを貫通して通信を行なう無線通信手段の構成の一部として制御側貫通式コイルと表示側貫通式コイルとを用いて磁界通信を行なう形態を説明したが、アンテナを用いて無線ＬＡＮ，Ｂｌｕｅｔｏｏｔｈ，ＵＷＢ等の電波等による通信を行なう形態であってもよい。
【０１４５】
さらに、上記の実施の形態では、制御装置に複数枚の表示シートが重ねられた場合に、隣り合う表示シート同士が他の表示シートを貫通せずに通信を行なう無線通信手段の構成の一部として上面非貫通式コイルと下面非貫通式コイルとを用いて磁界通信を行なう形態を説明したが、ＩｒＤＡ、バーコードリーダー等の反射式の赤外線等による通信を行なう形態であってもよい。
【０１４６】
また、上記の実施の形態では、複数枚の表示シートが制御装置の上に重ねられる構成例について説明したが、複数枚の表示シートが制御装置の横に並べられる構成としてもよい。
【符号の説明】
【０１４７】
１０ 表示システム
１２ 表示シート
１４ 制御装置
１６ ディスプレイ
１８ 表示側貫通式コイル
２０Ａ 上面非貫通式コイル
２０Ｂ 下面非貫通式コイル
２２ 磁性体シート
２８ 制御側貫通式コイル
３０ 制御部
３８ メモリ
４２ 電源
４４ 制御部
４８ メモリ
【図１】
2010175822.tif 000005
【図２】
2010175822.tif 000006
【図３】
2010175822.tif 000007
【図４】
2010175822.tif 000008
【図５】
2010175822.tif 000009
【図６】
2010175822.tif 000010
【図７】
2010175822.tif 000011
【図８】
2010175822.tif 000012
【図９】
2010175822.tif 000013
【図１０】
2010175822.tif 000014
【図１１】
2010175822.tif 000015
【図１２】
2010175822.tif 000016
【図１３】
2010175822.tif 000017
【図１４】
2010175822.tif 000018
【図１５】
2010175822.tif 000019
【図１６】
2010175822.tif 000020
【図１７】
2010175822.tif 000021
【図１８】
2010175822.tif 000022
【図１９】
2010175822.tif 000023